(57)【要約】【課題】皮膚面に対し密着して粘着性を充分に発揮するように、携帯電話固定用粘着シートの皮膚との一体化を高め、また剥離後の再粘着性の確実な携帯電話固定用粘着シートとすることであり、またそれを用いてハンズフリー（手放し）で使用することが、簡単かつ確実にできるハンズフリー用携帯電話とすることである。【解決手段】携帯電話器Ａに貼付可能な厚さ２〜５ｍｍのゲル状粘着材からなる粘着シート１からなり、この粘着シート１は、使用者の顔面頬部と一体的に弾性変形が可能な柔らかさであると共に、剥離後に再粘着が可能なゲル状粘着材で形成されたものであり、さらにその両面に重ねて離型性シート２を設けたものとする。粘着シートの材質は、アクリル酸エステル系重合体に、相溶する液状成分を所要量含有させて、皮膚面へのソフトな接着感を付与し、凝集力を補うために架橋処理して特定範囲でゲル化させたものなどを用いる。【選択図】図２
2011015331.tif 000002
【特許請求の範囲】
【請求項１】
携帯電話器に貼付可能な粘着シートからなり、この粘着シートは顔面頬部と一体的に弾性変形が可能な柔らかさであると共に、剥離後に再粘着が可能なゲル状粘着材で形成されてなる携帯電話固定用粘着シート。
【請求項２】
請求項１に記載の携帯電話固定用粘着シートの片面または両面に重ねて離型性シートを設けた携帯電話固定用粘着シート。
【請求項３】
請求項１に記載の携帯電話保持用粘着シートの片面に離型性シートを設け、他の片面には開閉可能な蓋を設けた携帯電話固定用粘着シート。
【請求項４】
粘着シートが、厚さ２〜５ｍｍのゲル状粘着材からなる粘着シートである請求項１〜３のいずれかに記載の携帯電話固定用粘着シート。
【請求項５】
ヒンジを介して折り畳み可能な携帯電話の送受信面の対向する片側面または両側面に請求項１〜４のいずれかに記載の携帯電話固定用粘着シートを粘着させて設けたハンズフリー用携帯電話。
【発明の詳細な説明】
【技術分野】
【０００１】
この発明は、携帯電話の所要部分に取り付けて用いられる携帯電話固定用粘着シートおよびハンズフリー用携帯電話に関するものである。
【背景技術】
【０００２】
携帯電話は、近年の改良に伴って軽量かつ小型で持ち運びが容易になったため、時間や場所を問わずに日常生活のあらゆる場面で用いられているが、通話状態では本体の一部に設けられた受話部と通話部を耳と口の付近に近づける必要があるので、少なくとも通話状態では片手で持つ必要がある。
【０００３】
両手で作業しながら携帯電話をハンズフリー（手放し）で使用する場合は、携帯電話をポケットなどに収納しておき、それからイアホンやヘッドフォン型の受話・送話用機器を接続するか、または壁面や棚、または自動車のダッシュボードなどにホルダーなどで携帯電話本体を固定する必要があった。
【０００４】
携帯電話に対して固定する別の手段として、ホルダーではなく粘着性マットを用い、それが粘着性と弾性を有するスチレン系熱可塑性エラストマーまたはウレタン系熱可塑性エラストマーなどの合成樹脂製のマットからなり、全面に高さのほぼ一定の凸部を設けたものが知られている（特許文献１）。
【０００５】
また、工業的に機器などの組み立て工程で部品同士を粘着固定するための両面粘着シートや医療用の体表面貼付用の粘着シートは周知である。
【先行技術文献】
【特許文献】
【０００６】
【特許文献１】特開２００９−０３９３７４号公報
【発明の概要】
【発明が解決しようとする課題】
【０００７】
しかし、上記した携帯電話固定用のホルダーに代わる粘着性マットや、または工業製品の部品同士を粘着固定するための両面粘着シートは、金属やプラスチックなどの硬質の平面部分に対して充分な粘着性を発揮するものではあるが、凹凸のある弾性面では、皮脂や汗などを分泌する皮膚面に対し、その粘着性は充分でなかった。
【０００８】
なお、医療用の体表面貼付用の粘着シートは、皮膚面に対する刺激はないものであるが、携帯電話のような電子機器を皮膚に複数回にわたって固定する使用状態は予定されたものではなかった。
【０００９】
そこで、この発明の課題は、上記した問題点を解決して、皮膚面に対し密着して粘着性を充分に発揮するように、携帯電話固定用粘着シートの皮膚との一体化を高め、また剥離後の再粘着性も確実な携帯電話固定用粘着シートとすることであり、またそれを用いてハンズフリー（手放し）で使用することが、簡単かつ確実にできるハンズフリー用携帯電話とすることである。
【課題を解決するための手段】
【００１０】
上記の課題を解決するために、この発明においては、携帯電話器の面に貼付可能な粘着シートからなり、この粘着シートは顔面頬部と一体的に弾性変形が可能な柔らかさであると共に、剥離後に再粘着が可能なゲル状粘着材で形成されてなる携帯電話固定用粘着シートとしたのである。
【００１１】
上記したように構成されるこの発明の携帯電話固定用粘着シートは、携帯電話器に貼付可能な大きさや所定形状の粘着シートとし、それを顔面頬部と一体的に弾性変形が可能な柔らかさであるゲル状粘着材とすることにより、常に変形する皮膚面に対する密着性が極めて高いものになり、その密着性によって携帯電話の皮膚面に対する固定力が優れたものになる。
また、このような粘着シートは、剥離後に再粘着が可能であるゲル状粘着材で形成されているので、必要に応じて複数回の固定が可能な携帯電話固定用粘着シートになる。
【００１２】
そして、必要な時にのみ粘着シートを使用できるものとするために、上記の携帯電話固定用粘着シートの片面または両面に重ねて離型性シートを設けた携帯電話固定用粘着シートとすることが好ましい。
また、携帯電話のキー上に粘着固定されていてもゲル状粘着材が指で押された部分のみの圧力を直下に伝えるため、指によるキー操作は可能である。
【００１３】
粘着シートの両面に重ねて離型性シートを設けた携帯電話固定用粘着シートは、先ず、片面の離型性シートを剥離して、露出した粘着面を携帯電話の要所に貼着し、もう一方の片面の離型性シートは、ハンズフリーをする直前に剥離して用いることにより、通常の携帯電話の使用状態を制限するものにならず、必要な時に確実な粘着力を発揮できるものになる。
【００１４】
また、同様な趣旨で前記の携帯電話固定用粘着シートの片面に離型性シートを設け、他の片面には開閉可能な蓋を設けた携帯電話固定用粘着シートとすることもできる。
このようにすると、剥離シートよりも堅牢な合成樹脂製の椀状蓋などを設け、さらには一端にヒンジを設けて他端を跳ね上げて開閉できる蓋を設けても良く、取り扱い性や使用耐久性を向上させることができる。
【００１５】
特に、粘着シートが、厚さ２〜５ｍｍのゲル状粘着材からなる粘着シートである場合には、前述のように顔面頬部と一体的に弾性変形が可能な柔らかさを確実に有する携帯電話固定用粘着シートになる。
【００１６】
そして、上述したような携帯電話固定用粘着シートを予め取り付けた携帯電話を設けることもでき、例えばヒンジを介して折り畳み可能な携帯電話の送受信面の対向する片側面または両側面に上記したいずれかの携帯電話固定用粘着シートを粘着させて設けたハンズフリー用携帯電話を構成することは、粘着面積を効率よく利用して充分な粘着力を効率よく発揮させるために好ましい。
【００１７】
このようなハンズフリー用携帯電話は、必要な時に粘着シート部分を頬に粘着させることにより、本体の一部に設けられた受話部と通話部を、それぞれ耳と口の付近に近づけることができるので、イアホンなどの付属品を用いることなく、携帯電話本体だけを用いて、両手で作業しながら携帯電話をハンズフリー（手放し）で使用することが、簡単かつ確実にできる。
【発明の効果】
【００１８】
この発明の携帯電話固定用粘着シートは、顔面頬部と一体的に弾性変形が可能で、剥離後に再粘着が可能なゲル状粘着材で形成したことにより、粘着する皮膚との一体化が高まり、剥離後に再粘着の可能な携帯電話固定用粘着シートとなる利点がある。
【００１９】
また、そのような携帯電話固定用粘着シートを用いてハンズフリー（手放し）で使用することが、簡単かつ確実にできるハンズフリー用携帯電話となる利点がある。
【図面の簡単な説明】
【００２０】
【図１】（ａ）携帯電話固定用粘着シートに係る発明の第１実施形態を示す正面図、（ｂ）携帯電話固定用粘着シートに係る発明の第１実施形態の断面図
【図２】第１実施形態の使用状態を示すハンズフリー用携帯電話の要部正面図
【図３】図２のIII−III線断面図
【図４】携帯電話固定用粘着シートに係る発明の第２実施形態の使用状態を示すハンズフリー用携帯電話の要部正面図
【図５】携帯電話固定用粘着シートに係る発明の第３実施形態の使用状態を示すハンズフリー用携帯電話の要部正面図
【図６】ハンズフリー用携帯電話に係る発明の使用状態を示す説明図
【発明を実施するための形態】
【００２１】
この発明の携帯電話固定用粘着シートに係る発明の実施形態、およびその使用状態であるハンズフリー用携帯電話に係る発明の実施形態を以下に添付図面に基づいて説明する。
【００２２】
図１、２、３、６に示すように、携帯電話固定用粘着シートに係る発明の第１実施形態は、携帯電話器Ａ（図６参照）に貼付可能な粘着シート１（図１、２参照）からなり、この粘着シート１は、厚さ２〜５ｍｍのゲル状粘着材からなり、使用者の顔面頬部ｆと一体的に弾性変形が可能な柔らかさであると共に、剥離後に再粘着が可能なゲル状粘着材で形成されたものであり、さらにその両面に重ねて離型性シート２を設けている。
【００２３】
粘着シート１を貼付する携帯電話器Ａの形態は、特に限定されるものではなく、図２〜６に示した二つ折りタイプで開閉可能なものであってもよいが、２分割されて重ねた部分がスライド式に展開されるもの、またはカード型などのように展開されることなく一定の形状で用いるものであってもよく、それらの外観は略長方体以外にも、楕円盤型などの周知形態のものであってもよい。
【００２４】
粘着シート１は、そのような携帯電話器において例えば送・受話部の配置された面に、製造工程で予め貼付されるか、または必要に応じて使用者が貼付するものであり、そのような粘着シートの材質は、皮膚用粘着剤として周知の材質を選択的に採用できる。
【００２５】
例えば、粘着シートの材質例としては、アクリル酸エステル系重合体に、相溶する液状成分を所要量含有させて、皮膚面へのソフトな接着感を付与し、凝集力を補うために架橋処理して特定範囲でゲル化させたもの、またはシリコーンゲル、ウレタンゲルなどが挙げられる。
【００２６】
前記のアクリル酸エステル系重合体としては、アルキル基の炭素数が４以上、好ましくは１５以下の（メタ）アクリル酸アルキルエステルを用いた重合体が好ましく、特に架橋処理のしやすさの面からは（メタ）アクリル酸アルキルエステルを主成分とした共重合体を用いることが望ましい。（メタ）アクリル酸アルキルエステルとしては、具体的にはアルキル基がブチル、ペンチル、ヘキシル、ヘプチル、オクチル、ノニル、デシル、ウンデシル、ドデシル、トリデシルなどの直鎖アルキル基や分岐アルキル基などを有する（メタ）アクリル酸アルキルエステルが挙げられる。
【００２７】
また、上記の相溶する液状成分としては、エチレングリコール、ジエチレングリコール、のようなグリコール類、オリーブ油、ヒマシ油、スクワレン、ラノリンなどの油脂類、酢酸エチル、エチルアルコール、ジメチルデシルスルホキシドのような有機溶剤、液状の界面活性剤、ジイソプロピルアジペート、フタル酸エステル、ジエチルセバケートのような可塑剤、流動パラフィンのような炭化水素類、その他の有機液状成分が挙げられる。
【００２８】
液状成分の含有量はアクリル酸エステル系重合体１００重量部に対して４０重量部以上、皮膚刺激性の低減性から好ましくは６０〜１８０重量部の範囲で含有させることが好ましい。
【００２９】
また、粘着シートの他の材質例として、アクリル酸５０〜８８重量％、アクリル酸２−エチルヘキシル８〜４０重量％、及び極性モノマー（アクリル酸を除く）１〜４２重量％よりなる成分のみで構成されるアクリル系共重合体１００重量部と多価アルコール１５０〜６００重量部からなる組成物であって、この組成物が金属キレート架橋剤で後架橋されたものなども挙げられる。
【００３０】
上記の極性モノマーとしては、Ｎ−ビニル−２−ピロリドン、酢酸ビニル、アクリル酸メトキシエチル又はアクリル酸２−ヒドロキシエチルなどが挙げられる。
【００３１】
多価アルコールとしては、グリセリン、ジグリセリン、プロピレングリコール、ブチレングリコール、ポリエチレングリコール、及びポリプロピレングリコールなどが挙げられる。
【００３２】
金属キレート架橋剤としては、アルミニウムアセチルアセトネート、水酸化アルミニウムゲル又はアルミニウムグリシネートなどが挙げられる。
【００３３】
アクリル系共重合体は、例えば、前記モノマー（アクリル酸、アクリル酸２−エチルヘキシル及び極性モノマーのみ）を用いて、ラジカル重合により作製することができる。重合方法としては、例えば、溶液重合、懸濁重合等が採用可能である。特に、溶液重合は分子量分布が比較的狭く、粘着力のバラツキが小さい点で良好である。
【００３４】
このような材料は架橋剤を加えて支持体上にナイフコーターなどで塗布し、オーブン温度５０〜１００℃で１〜１０分乾燥して粘着シートが、厚さ２〜５ｍｍのゲル状粘着材からなるものを成形することができる。
【００３５】
厚さが２ｍｍ未満の薄い層では、気温や湿度が低すぎたりする環境などのように、場合によっては充分な弾性変形が経時的に持続しない場合があって好ましくなく、また５ｍｍを超えて厚層に設けても必要以上の弾性は却って固定力を低下させることとなって好ましくないからである。
【００３６】
上記のような材質のゲル状粘着剤とすれば、使用者の顔面頬部と一体的に弾性変形が可能な柔らかさであると共に、剥離後に再粘着が可能なゲル状粘着材になる。また、ゲル状粘着材の硬さは、例えばＪＩＳＫ  ７３１２  デュロメート硬さのタイプＥで５〜１５程度であるものは、顔面頬部と一体的に弾性変形が可能であるものといえる。
ゲル状粘着材は透明であるように材料を選択して構成することもできるが、顔料を添加して着色して設けることもでき、着色によって使用中の皮脂などの汚れが目立ち難くする効果が得られる。
【００３７】
また、離型性シートは、特に限定されたものではなく、例えば樹脂フィルムや紙材にシリコーンオイルを含浸または塗布したものとして周知の離型紙（シート）であってもよく、または例えば多官能アクリレートに放射線硬化型シリコーン樹脂を配合した樹脂組成物からなる剥離性皮膜を設けた樹脂シートなどであってもよい。
【００３８】
図１に示すように、離型性シート２は、粘着シート１の両面にヒンジ部分２ａを介して表側面２ｂと裏側面２ｃを連続して重ねて設けることができ、裏側面２ｃの大部分を剥離し、図２，３に示すように、その面を携帯電話に貼付する。裏側面２ｃのヒンジ部分２ａに近い部分にはシート幅を横断する半切線またはミシン目２ｄを形成しておけば、切り取り作業が簡単である。なお、離型性シート２は、ヒンジ部分２ａを省略し、粘着シート１の片面または両面にそれぞれ独立したものを重ねて設けても良い。
【００３９】
表側面２ｂは、その先端に舌状の延出部２ｅを形成しておけば、これを適宜に手で持って携帯電話上での剥離（図２、３中に剥離状態を一点鎖線で示した）を速やかに簡便に行なえる。
【００４０】
このような剥離シート２は、図示した表側面２ｂに代えて合成樹脂性の低いドーム形の蓋（図示せず）を設けておくこともできる。蓋の高さは、携帯電話の支障にならない程度に低く形成することは勿論であるが、蓋の縁には、ヒンジを形成しておくこともでき、これによって跳ね上げ式の蓋にすることもできる。
【００４１】
図２に示すように、携帯電話固定用の粘着シート１は、例えば折りたたみ式の携帯電話器Ａのヒンジ３の軸方向に沿って片側（画面側に実線または図２中のキー操作面側に二点鎖線で示した）またはその両側に設け、携帯電話器Ａのデザインに応じてその機能に支障のない適切な状態でハンズフリー用携帯電話を設けることができる。
【００４２】
図４に示す第２実施形態の携帯電話固定用の粘着シート４は、携帯電話の送受信面の対向する片側面において液晶画面５の全面を覆うように設け、その表面に透明な合成樹脂製の離型性シート６を重ねて適宜に剥離可能に設けたものである。この場合に用いる粘着シート４は、透明であるか、または薄い色で透光性がある材質を採用することが好ましい。
【００４３】
また、図５に示す第３実施形態の携帯電話固定用の粘着シート７は、携帯電話の送受信面の対向する片側面において液晶画面を覆わないように、その部分を切り抜いた形状、すなわち窓付きの形状に設け、その表面に合成樹脂製の離型性シート８を重ねて設けたものである。この場合に用いる粘着シート７は、透明であっても着色されたものであっても良い。
【００４４】
このような粘着シート１、４、７を使用するときには、図３中に一点鎖線で示すように必要に応じて離型性シート２の表側面２ｂを手で剥がし、次いで図６に示す状態に使用者の顔面頬部ｆに粘着シート１の表面を粘着させ、携帯電話をハンズフリー（手放し）で使用することができる。
【００４５】
そして、このような粘着シート１、４、７は、携帯電話固定用粘着シートの皮膚との一体化が高められたものであり、剥離後の再粘着性が確実に行なえるので、何度も確実にハンズフリーの状態で使用することができる。
【符号の説明】
【００４６】
１、４、７  粘着シート
２、６、８  離型性シート
２ａ  ヒンジ部分
２ｂ  表側面
２ｃ  裏側面
２ｄ  ミシン目
３  ヒンジ
５  液晶画面
Ａ  携帯電話器
ｆ  顔面頬部
【図１】
2011015331.tif 000003
【図２】
2011015331.tif 000004
【図３】
2011015331.tif 000005
【図４】
2011015331.tif 000006
【図５】
2011015331.tif 000007
【図６】
2011015331.tif 000008